(57)【要約】【課題】スポット情報の利便性を向上したいという要望があった。【解決手段】スポット情報サーバ１は、スポットの位置を示す位置情報と、スポットに関連する画像と、スポットに関する説明文とを有するスポット情報を受信するスポット情報受信部１１と、記憶部１２と、スポット情報受信部１１によって受信されたスポット情報を記憶部１２に蓄積する蓄積部１３と、記憶部１２で記憶されているスポット情報に含まれる各情報を掲載するウェブページを生成するウェブページ生成部１６と、ウェブページ生成部１６によって生成されたスポット情報のウェブページのアドレスに関する送信を行うアドレス送信部１８と、あるアドレスのスポット情報のウェブページの送信を要求する送信要求を受信した場合に、アドレスに対応するスポット情報のウェブページを送信するウェブページ通信部１９とを備える。【選択図】図１
2020060985.tif 000002
【特許請求の範囲】
【請求項１】
スポットの位置を示す位置情報と、当該スポットに関連する画像と、当該スポットに関する説明文とを有するスポット情報を受信するスポット情報受信部と、
スポット情報が記憶される記憶部と、
前記スポット情報受信部によって受信されたスポット情報を前記記憶部に蓄積する蓄積部と、
前記記憶部で記憶されているスポット情報に含まれる各情報を掲載するウェブページを生成するウェブページ生成部と、
前記ウェブページ生成部によって生成されたスポット情報のウェブページのアドレスに関する送信を行うアドレス送信部と、
あるアドレスのスポット情報のウェブページの送信を要求する送信要求を受信した場合に、当該アドレスに対応するスポット情報のウェブページを送信するウェブページ通信部と、を備えたスポット情報サーバ。
【請求項２】
スポット情報のウェブページのアドレスを示すコードを生成するコード生成部をさらに備え、
前記アドレス送信部は、前記コード生成部によって生成されたコードを送信する、請求項１記載のスポット情報サーバ。
【請求項３】
スポット情報は、カテゴリをも有しており、
前記ウェブページ通信部を介したスポット情報のウェブページの閲覧に関する閲覧履歴を蓄積する履歴蓄積部と、
前記履歴蓄積部によって蓄積された閲覧履歴に基づいて、スポット情報に新たなカテゴリを追加するカテゴリ追加部と、をさらに備えた、請求項１または請求項２記載のスポット情報サーバ。
【請求項４】
前記カテゴリには、スポット情報のウェブページの閲覧者の属性も含まれており、
前記閲覧履歴には、スポット情報のウェブページの閲覧者の属性も含まれており、
前記カテゴリ追加部は、閲覧履歴に基づいて、スポット情報のカテゴリに閲覧者の属性を追加する、請求項３記載のスポット情報サーバ。
【請求項５】
前記スポット情報受信部によって受信されたスポット情報に含まれる説明文が予め決められたルールに応じたものであるかどうかチェックする説明文チェック部と、
前記説明文チェック部によって、説明文が予め決められたルールに応じていないとチェックされた場合に、当該チェックの結果を送信するチェック結果送信部と、をさらに備えた、請求項１から請求項４のいずれか記載のスポット情報サーバ。
【請求項６】
他のスポット情報サーバにおいて保持されているスポット情報を取得するスポット情報取得部をさらに備え、
前記蓄積部は、前記スポット情報取得部によって取得されたスポット情報も前記記憶部に蓄積する、請求項１から請求項５のいずれか記載のスポット情報サーバ。
【請求項７】
前記スポット情報取得部は、他のスポット情報サーバからスポット情報を取得するものであり、他のスポット情報サーバにおける取得対象のスポット情報の更新頻度に応じた頻度で当該スポット情報を取得する、請求項６記載のスポット情報サーバ。
【請求項８】
前記ウェブページ通信部は、スポット情報のウェブページに関する一覧のリンクページの送信要求と、当該送信要求の送信元の端末装置の位置を示す端末位置情報とを受信した場合に、当該端末位置情報から所定の距離の範囲内の位置情報を有するスポット情報のウェブページに関する一覧のリンクページを送信する、請求項１から請求項７のいずれか記載のスポット情報サーバ。
【請求項９】
スポット情報受信部と、蓄積部と、記憶部と、ウェブページ生成部と、アドレス送信部と、ウェブページ通信部とを用いて処理されるスポット情報管理方法であって、
前記スポット情報受信部が、スポットの位置を示す位置情報と、当該スポットに関連する画像と、当該スポットに関する説明文とを有するスポット情報を受信するスポット情報受信ステップと、
前記蓄積部が、前記スポット情報受信ステップにおいて受信されたスポット情報を前記記憶部に蓄積する蓄積ステップと、
前記ウェブページ生成部が、前記記憶部で記憶されているスポット情報に含まれる各情報を掲載するウェブページを生成するウェブページ生成ステップと、
前記アドレス送信部が、前記ウェブページ生成ステップにおいて生成されたスポット情報のウェブページのアドレスに関する送信を行うアドレス送信ステップと、
前記ウェブページ通信部が、あるアドレスのスポット情報のウェブページの送信を要求する送信要求を受信した場合に、当該アドレスに対応するスポット情報のウェブページを送信するウェブページ通信ステップと、を備えたスポット情報管理方法。
【請求項１０】
スポットの位置を示す位置情報と、当該スポットに関連する画像と、当該スポットに関する説明文とを有するスポット情報が記憶される記憶部にアクセス可能なコンピュータを、
スポット情報を受信するスポット情報受信部、
前記スポット情報受信部によって受信されたスポット情報を前記記憶部に蓄積する蓄積部、
前記記憶部で記憶されているスポット情報に含まれる各情報を掲載するウェブページを生成するウェブページ生成部、
前記ウェブページ生成部によって生成されたスポット情報のウェブページのアドレスに関する送信を行うアドレス送信部、
あるアドレスのスポット情報のウェブページの送信を要求する送信要求を受信した場合に、当該アドレスに対応するスポット情報のウェブページを送信するウェブページ通信部として機能させるためのプログラム。
【発明の詳細な説明】
【技術分野】
【０００１】
本発明は、スポット情報を登録し、その登録したスポット情報に対応したウェブページの生成等を行うスポット情報サーバ等に関する。
【背景技術】
【０００２】
従来、スポットに関する情報であるスポット情報が利用されている。例えば、ユーザに対して、ユーザの位置に応じたスポット情報を提示することが行われている（例えば、特許文献１参照）。
【先行技術文献】
【特許文献】
【０００３】
【特許文献１】国際公開第２０１６／１０４１８１号
【発明の概要】
【発明が解決しようとする課題】
【０００４】
そのようなスポット情報の利用における利便性を向上させたいという要望があった。例えば、容易にスポット情報を登録することができ、また、より容易にそのスポット情報を利用することができるようにしたいという要望があった。
【０００５】
本発明は、上記事情に応じてなされたものであり、スポット情報を容易に登録することができ、また、スポット情報を利用する際の利便性を向上させることができるスポット情報サーバ等を提供することを目的とする。
【課題を解決するための手段】
【０００６】
上記目的を達成するため、本発明によるスポット情報サーバは、スポットの位置を示す位置情報と、スポットに関連する画像と、スポットに関する説明文とを有するスポット情報を受信するスポット情報受信部と、スポット情報が記憶される記憶部と、スポット情報受信部によって受信されたスポット情報を記憶部に蓄積する蓄積部と、記憶部で記憶されているスポット情報に含まれる各情報を掲載するウェブページを生成するウェブページ生成部と、ウェブページ生成部によって生成されたスポット情報のウェブページのアドレスに関する送信を行うアドレス送信部と、あるアドレスのスポット情報のウェブページの送信を要求する送信要求を受信した場合に、アドレスに対応するスポット情報のウェブページを送信するウェブページ通信部と、を備えたものある。
このような構成により、スポット情報をスポット情報サーバに簡単に登録することができるようになる。また、そのスポット情報に対応するウェブページが自動生成されるため、そのウェブページを用いることによって、スポット情報の活用を容易に図ることができるようになる。
【０００７】
また、本発明によるスポット情報サーバでは、スポット情報のウェブページのアドレスを示すコードを生成するコード生成部をさらに備え、アドレス送信部は、コード生成部によって生成されたコードを送信してもよい。
このような構成により、例えば、スポット情報のウェブページのアドレスを示すＱＲコード（登録商標）をパンフレットやポスター等に印刷することによって、スポット情報に容易にアクセスできるようにすることができ、スポット情報を利用する際の利便性を向上させることができる。
【０００８】
また、本発明によるスポット情報サーバでは、スポット情報は、カテゴリをも有しており、ウェブページ通信部を介したスポット情報のウェブページの閲覧に関する閲覧履歴を蓄積する履歴蓄積部と、履歴蓄積部によって蓄積された閲覧履歴に基づいて、スポット情報に新たなカテゴリを追加するカテゴリ追加部と、をさらに備えてもよい。
このような構成により、閲覧履歴を用いることによって、カテゴリが自動的に追加されるようにすることができ、例えば、そのカテゴリを用いることによって、ユーザに対してより適切なスポット情報の提示を行うことができるようになる。
【０００９】
また、本発明によるスポット情報サーバでは、カテゴリには、スポット情報のウェブページの閲覧者の属性も含まれており、閲覧履歴には、スポット情報のウェブページの閲覧者の属性も含まれており、カテゴリ追加部は、閲覧履歴に基づいて、スポット情報のカテゴリに閲覧者の属性を追加してもよい。
このような構成により、閲覧者の属性に関するカテゴリを自動的に追加することができる。例えば、多くの女性が閲覧しているスポット情報には、カテゴリ「女性」を追加することができるようになる。
【００１０】
また、本発明によるスポット情報サーバでは、スポット情報受信部によって受信されたスポット情報に含まれる説明文が予め決められたルールに応じたものであるかどうかチェックする説明文チェック部と、説明文チェック部によって、説明文が予め決められたルールに応じていないとチェックされた場合に、チェックの結果を送信するチェック結果送信部と、をさらに備えてもよい。
このような構成により、説明文に不適切な表現等が含まれている場合に、説明文の作成者がそのことを知ることができるようになる。そして、例えば、そのチェック結果に応じて、説明文の作成者が説明文を修正した場合には、スポット情報に含まれる説明文が所定のルールに沿ったものとなるようにすることができる。
【００１１】
また、本発明によるスポット情報サーバでは、他のスポット情報サーバにおいて保持されているスポット情報を取得するスポット情報取得部をさらに備え、蓄積部は、スポット情報取得部によって取得されたスポット情報も記憶部に蓄積してもよい。
このような構成により、連携先のスポット情報サーバから取得したスポット情報をも用いることができるようになる。例えば、各スポット情報サーバが地方自治体によって運用されている場合に、ある地方自治体のスポット情報サーバが、近隣の地方自治体のスポット情報サーバからスポット情報を取得することができるようになる。
【００１２】
また、本発明によるスポット情報サーバでは、スポット情報取得部は、他のスポット情報サーバからスポット情報を取得するものであり、他のスポット情報サーバにおける取得対象のスポット情報の更新頻度に応じた頻度でスポット情報を取得してもよい。
このような構成により、他のスポット情報サーバから、より新しいスポット情報を取得することができるようになる。
【００１３】
また、本発明によるスポット情報サーバでは、ウェブページ通信部は、スポット情報のウェブページに関する一覧のリンクページの送信要求と、送信要求の送信元の端末装置の位置を示す端末位置情報とを受信した場合に、端末位置情報から所定の距離の範囲内の位置情報を有するスポット情報のウェブページに関する一覧のリンクページを送信してもよい。
このような構成により、ウェブページの閲覧者にとって有用であると考えられるウェブページに関する一覧のリンクページを提供することができるようになる。
【００１４】
また、本発明によるスポット情報管理方法は、スポット情報受信部と、蓄積部と、記憶部と、ウェブページ生成部と、アドレス送信部と、ウェブページ通信部とを用いて処理されるスポット情報管理方法であって、スポット情報受信部が、スポットの位置を示す位置情報と、スポットに関連する画像と、スポットに関する説明文とを有するスポット情報を受信するスポット情報受信ステップと、蓄積部が、スポット情報受信ステップにおいて受信されたスポット情報を記憶部に蓄積する蓄積ステップと、ウェブページ生成部が、記憶部で記憶されているスポット情報に含まれる各情報を掲載するウェブページを生成するウェブページ生成ステップと、アドレス送信部が、ウェブページ生成ステップにおいて生成されたスポット情報のウェブページのアドレスに関する送信を行うアドレス送信ステップと、ウェブページ通信部が、あるアドレスのスポット情報のウェブページの送信を要求する送信要求を受信した場合に、アドレスに対応するスポット情報のウェブページを送信するウェブページ通信ステップと、を備えたものである。
【発明の効果】
【００１５】
本発明によるスポット情報サーバ等によれば、スポット情報を簡単に登録することができると共に、そのスポット情報に対応するウェブページが自動生成されるため、そのウェブページを用いることによって、スポット情報の活用を図ることもできるようになる。
【図面の簡単な説明】
【００１６】
【図１】本発明の実施の形態によるスポット情報サーバを含む情報通信システムの構成を示す模式図
【図２Ａ】同実施の形態によるスポット情報サーバの動作を示すフローチャート
【図２Ｂ】同実施の形態によるスポット情報サーバの動作を示すフローチャート
【図３】同実施の形態におけるスポット情報の登録画面の一例を示す図
【図４】同実施の形態における蓄積されたスポット情報の一例を示す図
【図５】同実施の形態における保持されているＮＧワードの一例を示す図
【図６】同実施の形態におけるスポット情報のウェブページの一例を示す図
【図７】同実施の形態におけるＱＲコードの表示されたパンフレットの一例を示す図
【図８】同実施の形態におけるスポット情報のウェブページの表示の一例を示す図
【図９】同実施の形態における閲覧履歴の一例を示す図
【図１０】同実施の形態における閲覧者識別子と属性との対応の一例を示す図
【図１１】同実施の形態における蓄積されたスポット情報の一例を示す図
【図１２】同実施の形態における蓄積されたスポット情報の一例を示す図
【図１３】同実施の形態におけるチェックの結果の表示の一例を示す図
【図１４】同実施の形態におけるスポット情報の一覧のリンクページの一例を示す図
【図１５】同実施の形態におけるスポット情報の一覧のリンクページの一例を示す図
【図１６】同実施の形態におけるコンピュータシステムの外観一例を示す模式図
【図１７】同実施の形態におけるコンピュータシステムの構成の一例を示す図
【発明を実施するための形態】
【００１７】
以下、本発明によるスポット情報サーバ等について、実施の形態を用いて説明する。なお、以下の実施の形態において、同じ符号を付した構成要素及びステップは同一または相当するものであり、再度の説明を省略することがある。本実施の形態によるスポット情報サーバは、スポット情報を受信して蓄積し、そのスポット情報に対応するウェブページを自動生成して、そのウェブページのアドレスを示すコードを送信するものである。
【００１８】
図１は、本実施の形態によるスポット情報サーバ１を含む情報通信システムの構成を示す模式図である。その情報通信システムは、スポット情報サーバ１，２と、統合サーバ４と、複数の端末装置６とを有する。スポット情報サーバ１，２、統合サーバ４、及び端末装置６は、有線または無線の通信回線５００によって通信可能に接続されている。通信回線５００は、例えば、インターネットやイントラネット、公衆電話回線網等であってもよい。端末装置６は、スポット情報サーバ１，２にスポット情報を送信したり、スポット情報サーバ１，２で管理されているスポット情報のウェブページを閲覧したりする装置であり、例えば、パーソナル・コンピュータや、スマートフォン、タブレット端末、ＰＤＡ（Personal Digital Assistant）等であってもよい。また、図１では、情報通信システムに２個のスポット情報サーバ１，２が含まれる場合について示しているが、情報通信システムに３個以上のスポット情報サーバが含まれていてもよい。
【００１９】
図１を参照して、スポット情報サーバ１は、スポット情報受信部１１と、記憶部１２と、蓄積部１３と、説明文チェック部１４と、チェック結果送信部１５と、ウェブページ生成部１６と、コード生成部１７と、アドレス送信部１８と、ウェブページ通信部１９と、履歴蓄積部２０と、カテゴリ追加部２１と、スポット情報取得部２２とを備える。なお、スポット情報サーバ１は、それらの主な構成以外にも、他の通信や処理等を行う構成を有していてもよい。また、スポット情報サーバ２も、基本的にスポット情報サーバ１と同様の構成であるとする。
【００２０】
スポット情報受信部１１は、スポット情報を受信する。スポット情報は、スポットの位置を示す位置情報と、そのスポットに関連する画像と、そのスポットに関する説明文とを有する情報である。また、スポット情報は、タイトルを有していてもよく、カテゴリを有していてもよく、最終更新日時を有していてもよい。なお、最新更新日時については、後述するように、スポット情報の蓄積時に追加されてもよい。また、カテゴリについても、後述するように、カテゴリ追加部２１によって後から追加されてもよい。スポットは、特に限定されないが、例えば、観光地、レストラン、施設、避難所、公園等の場所などであってもよい。なお、受信されるスポット情報において、一部の情報が空欄（ｎｕｌｌ）となっていてもよい。例えば、一部のスポット情報には画像が含まれていなくてもよい。
【００２１】
スポット情報に含まれる位置情報は、例えば、住所であってもよく、緯度・経度などの座標情報であってもよく、地名であってもよい。本実施の形態では、位置情報が住所である場合について主に説明する。位置情報が地名である場合には、その地名は、位置を一意に特定できる地名（例えば、固有名詞であるランドマーク名など）であることが好適である。具体的には、地名である位置情報は、「中之島フェスティバルタワー」「国立西洋美術館」等であってもよい。なお、位置情報が座標情報である場合には、その位置情報がウェブページに掲載される際に、その座標情報が、住所や地名、地図上において位置を示す画像（例えば、マーカ表示の画像）等に変換されてもよい。そのような場合において、変換後の住所や地名、地図上において位置を示す画像等も位置情報と呼ぶものとする。
【００２２】
スポット情報に含まれる画像は、通常、写真（撮影画像）であるが、それ以外のイラスト等であってもよい。また、その画像は、例えば、静止画像であってもよく、動画像であってもよい。本実施の形態では、スポット情報に含まれる画像が写真である場合について主に説明する。その写真は、例えば、スポットにおいて撮影された写真であってもよい。
【００２３】
スポット情報に含まれる説明文、及びタイトルは、通常、テキスト情報である。
スポット情報に含まれるカテゴリは、スポット情報の内容に関するカテゴリ（例えば、「歴史」「グルメ」「健康」「学習」「スポーツ」「防災」等）であってもよく、スポット情報の閲覧者の属性に関するカテゴリ（例えば、性別や年代、地域等）であってもよく、その他のカテゴリであってもよい。カテゴリは、例えば、スポット情報を絞り込む際などに利用されてもよい。
【００２４】
スポット情報受信部１１は、例えば、ウェブページのフォーム等を介してスポット情報を受信してもよく、予め形式の決められた電子メールによってスポット情報を受信してもよく、その他の方法によってスポット情報を受信してもよい。
【００２５】
なお、スポット情報受信部１１は、受信を行うための有線または無線の受信デバイス（例えば、モデムやネットワークカードなど）を含んでもよく、または含まなくてもよい。また、スポット情報受信部１１は、ハードウェアによって実現されてもよく、または受信デバイスを駆動するドライバ等のソフトウェアによって実現されてもよい。
【００２６】
記憶部１２では、スポット情報が記憶される。そのスポット情報は、後述するように、蓄積部１３によって蓄積されてもよい。また、記憶部１２では、スポット情報のウェブページや、スポット情報のウェブページの閲覧に関する閲覧履歴が記憶されてもよい。ウェブページは、後述するように、ウェブページ生成部１６によって蓄積されてもよい。また、閲覧履歴は、後述するように、履歴蓄積部２０によって蓄積されてもよい。また、記憶部１２では、それら以外の情報が記憶されてもよい。
【００２７】
記憶部１２での記憶は、ＲＡＭ等における一時的な記憶でもよく、または、長期的な記憶でもよい。記憶部１２は、所定の記録媒体（例えば、半導体メモリや磁気ディスクなど）によって実現されうる。
【００２８】
蓄積部１３は、スポット情報受信部１１によって受信されたスポット情報を記憶部１２に蓄積する。また、蓄積部１３は、スポット情報取得部２２によって取得されたスポット情報をも記憶部１２に蓄積する。なお、蓄積部１３は、スポット情報受信部１１によって受信されたスポット情報を蓄積する際に、スポット情報に最終更新日時を追加して蓄積してもよい。その最終更新日時は、蓄積時点の日時であってもよい。蓄積部１３は、その蓄積時点の日時を、図示しないカレンダー部や時計部から取得してもよい。また、所定の条件が満たされる場合には、蓄積部１３は、スポット情報を上書きで記憶部１２に蓄積してもよい。その所定の条件は、例えば、蓄積対象のスポット情報と同じタイトルを有するスポット情報が、すでに記憶部１２で記憶されていることであってもよい。その場合には、蓄積部１３は、新たなスポット情報を、同じタイトルの既存のスポット情報に上書きで蓄積してもよい。
【００２９】
説明文チェック部１４は、スポット情報受信部１１によって受信されたスポット情報に含まれる説明文が予め決められたルールに応じたものであるかどうかチェックする。あらかじめ決められたルールは、図示しない記録媒体において記憶されており、説明文チェック部１４は、それを読み出して、説明文に関するチェックを行ってもよい。
【００３０】
あらかじめ決められたルールは、特に限定されるものではないが、例えば、説明文にＮＧワードが含まれていないことであってもよく、説明文の文体が予め決められたものであることであってもよい。また、説明文チェック部１４は、例えば、ＮＧワードに関するルールと文体に関するルールなどのように、複数の種類のルールに関するチェックを行ってもよい。
【００３１】
ルールが、説明文にＮＧワードが含まれていないことである場合には、説明文チェック部１４は、予め保持している複数のＮＧワードを用いて説明文のチェックを行ってもよい。そして、説明文チェック部１４は、その複数のＮＧワードのいずれかが説明文に含まれている場合に、その説明文が予め決められたルールに応じたものでないと判断し、その複数のＮＧワードのいずれも説明文に含まれていない場合に、その説明文が予め決められたルールに応じたものであると判断してもよい。
【００３２】
ルールが、説明文の文体に関するものである場合に、その文体は、例えば、「です・ます調」のような丁寧体や、「だ・である調」のような普通体であってもよい。例えば、説明文が丁寧体で記述されることがルールで決められている場合には、説明文チェック部１４は、説明文に含まれる各文の文末を特定し、その文末が丁寧体であるかどうか判断し、丁寧体でない文末が説明文に含まれているときに、その説明文が予め決められたルールに応じたものでないと判断し、丁寧体でない文末が説明文に含まれていないときに、その説明文が予め決められたルールに応じたものであると判断してもよい。特定した文末が普通体であるかどうかを判断することによって、同様の判断を行うこともできる。また、例えば、説明文が普通体で記述されることがルールで決められている場合にも、同様にして、説明文がルールに応じたものであるかどうかを判断することができる。
【００３３】
また、その文体は、例えば、ポジティブ（肯定的）、ネガティブ（否定的）などの文書の感情に関するものであってもよい。例えば、説明文がポジティブに記述されることがルールで決められている場合には、説明文チェック部１４は、説明文に対応する文書の感情を取得し、その感情がネガティブであるときに、その説明文が予め決められたルールに応じたものでないと判断し、その感情がポジティブであるときに、その説明文が予め決められたルールに応じたものであると判断してもよい。例えば、ポジティブに応じた形容詞と、ネガティブに応じた形容詞とが予め記憶されている場合には、説明文チェック部１４は、説明文に対して形態素解析を行い、説明文に含まれる各形容詞を特定し、その特定した形容詞が、ポジティブな形容詞であるのか、ネガティブな形容詞であるのかを判断し、その結果を統合することによって、説明文に応じた感情がポジティブかネガティブかを判断してもよい。
【００３４】
チェック結果送信部１５は、説明文チェック部１４によって、説明文が予め決められたルールに応じていないとチェックされた場合に、チェックの結果を送信する。なお、説明文が予め決められたルールに応じているとチェックされた場合には、チェック結果送信部１５は、そのチェックの結果を送信してもよく、または、送信しなくてもよい。本実施の形態では、説明文が予め決められたルールに応じていると判断されると、チェック結果が送信されない場合について主に説明する。
【００３５】
そのチェックの結果は、チェック対象の説明文を含むスポット情報を送信した端末装置６に送信されてもよく、または、他の端末装置６に送信されてもよい。説明文の作成者が説明文を修正することができるようにするためには、そのチェックの結果は、チェック対象の説明文を含むスポット情報を送信した端末装置６に送信されることが好適である。また、チェック対象の説明文を含むスポット情報を送信した端末装置６以外の端末装置６にチェックの結果が送信される場合には、その送信先の端末装置６は、例えば、チェック対象の説明文の作成者の上司の端末装置６であってもよく、また、スポット情報の管理者の端末装置６等であってもよい。
【００３６】
また、送信されるチェックの結果において、ルールに応じていない説明文の箇所が明示されることが好適である。また、説明文チェック部１４が、複数の種類のルールに関するチェックを行う場合には、送信されるチェックの結果において、どのルールに適合していないのかについても示されることが好適である。
【００３７】
チェックの結果の送信先が、チェック対象の説明文を含むスポット情報を送信した端末装置６である場合には、チェック結果送信部１５は、スポット情報受信部１１から、チェック対象の説明文を含むスポット情報の送信元のアドレスを取得し、そのアドレスにチェックの結果を送信してもよい。また、チェックの結果の送信先が予め決められている場合には、チェック結果送信部１５は、その送信先のアドレスを図示しない記録媒体等から読み出してチェックの結果の送信を行ってもよい。
【００３８】
また、チェック結果送信部１５は、送信を行うための送信デバイス（例えば、モデムやネットワークカードなど）を含んでもよく、または含まなくてもよい。また、チェック結果送信部１５は、ハードウェアによって実現されてもよく、または送信デバイスを駆動するドライバ等のソフトウェアによって実現されてもよい。
【００３９】
ウェブページ生成部１６は、記憶部１２で記憶されているスポット情報に含まれる各情報を掲載するウェブページを生成し、記憶部１２に蓄積する。なお、ウェブページには、スポット情報に含まれるすべての情報が含まれてもよく、または、そうでなくてもよい。後者の場合には、スポット情報のうち、カテゴリや最終更新日時等がウェブページに含まれていなくてもよい。ウェブページ生成部１６は、例えば、スポット情報に含まれる情報を、ウェブページのテンプレートに挿入することによって、スポット情報のウェブページを生成してもよい。ウェブページ生成部１６が生成する対象は、厳密に言えば、ウェブページのソースコードであるが、そのウェブページのソースコードについても、単にウェブページと呼ぶことにする。生成されたウェブページには、スポット情報に含まれる各情報が予め含まれていてもよく、または、ウェブページを端末装置６に送信する際に、スポット情報の内容がウェブページに動的に読み込まれるように設定されていてもよい。本実施の形態では、前者の場合について主に説明する。また、ウェブページ生成部１６は、ウェブページを生成する際に、スポット情報に含まれる情報の一部を変換してもよい。例えば、画像データについて、ウェブページ生成部１６は、容量やフォーマットが予め決められたものとなるように変換してからウェブページに含めるようにしてもよい。また、例えば、位置情報について、ウェブページ生成部１６は、緯度・経度等の座標情報で示される位置情報を、住所や地名に変換してウェブページに含めてもよく、住所や地名で示される位置情報を、その住所等の位置を示す地図の画像に変換してウェブページに含めてもよい。また、ウェブページ生成部１６は、あるスポット情報のウェブページに、そのスポット情報に含まれるカテゴリと同じカテゴリを有する他のスポット情報のリンクを含めてもよい。ウェブページ生成部１６によってウェブページが生成されることによって、その生成されたウェブページのアドレス（ＵＲＬ：Uniform Resource Locator）も特定されることになる。
【００４０】
コード生成部１７は、スポット情報のウェブページのアドレスを示すコードを生成する。そのコードは、スポット情報のウェブページのアドレスを取得することができるものである。そのコードは、スポット情報のウェブページのアドレスがコードに変換されたものであってもよい。そのコードは、例えば、ＱＲコードやＣＰコードなどの２次元コードであってもよく、１次元コード（バーコード）であってもよく、その他のコードであってもよい。したがって、コード生成部１７は、コードの図形を示す画像（例えば、ＱＲコード等の画像）を生成してもよい。
【００４１】
アドレス送信部１８は、ウェブページ生成部１６によって生成されたスポット情報のウェブページのアドレスに関する送信を行う。アドレス送信部１８は、そのアドレスそのものを送信してもよく、そのアドレスを示す情報を送信してもよい。アドレスを示す情報は、例えば、コード生成部１７によって生成されたコードであってもよい。本実施の形態では、アドレス送信部１８が、アドレスそのものと、コード生成部１７によって生成されたコードとの両方を送信する場合について主に説明する。アドレス送信部１８によるアドレス等の送信先は、例えば、スポット情報受信部１１によって受信されたスポット情報の送信元の端末装置６であってもよく、その他の端末装置６であってもよい。後者の場合には、例えば、あるスポット情報に関して、アドレスやコード等の送信を要求した端末装置６に、アドレスやコード等が送信されてもよい。また、後述するように、他のスポット情報サーバ２から取得されたスポット情報に応じてウェブページが生成された場合には、そのアドレス等の送信先は、例えば、スポット情報等の管理を行っている管理者の端末装置６であってもよい。
【００４２】
アドレス送信部１８から送信されたアドレスやコード等は、スポット情報のウェブページに容易にアクセスすることができるようにするために用いられてもよい。例えば、そのアドレスやコード等は、パンフレットや、カタログ、ポスター、チラシ等に表示されることによって用いられてもよい。
【００４３】
なお、アドレス送信部１８は、送信を行うための送信デバイス（例えば、モデムやネットワークカードなど）を含んでもよく、または含まなくてもよい。また、アドレス送信部１８は、ハードウェアによって実現されてもよく、または送信デバイスを駆動するドライバ等のソフトウェアによって実現されてもよい。
【００４４】
ウェブページ通信部１９は、あるアドレスのスポット情報のウェブページの送信を要求する送信要求を受信した場合に、そのアドレスに対応するスポット情報のウェブページを送信する。そのウェブページの送信先は、通常、送信要求の送信元である。例えば、あるユーザが、端末装置６のブラウザにおいて、所望のスポット情報のウェブページのアドレスを入力すると、そのブラウザから、そのスポット情報に対応するウェブページの送信要求がスポット情報サーバ１に送信される。そして、その送信要求がウェブページ通信部１９によって受信され、その送信要求によって要求されるウェブページが記憶部１２から読み出されて、送信要求の送信元の端末装置６に送信されることになる。なお、ウェブページ通信部１９は、公知のウェブサーバと同様の機能を有するものであり、その詳細な説明を省略する。
【００４５】
なお、ウェブページ通信部１９は、通信を行うための有線または無線の通信デバイス（例えば、モデムやネットワークカードなど）を含んでもよく、または含まなくてもよい。また、ウェブページ通信部１９は、ハードウェアによって実現されてもよく、または通信デバイスを駆動するドライバ等のソフトウェアによって実現されてもよい。
【００４６】
履歴蓄積部２０は、ウェブページ通信部１９を介したスポット情報のウェブページの閲覧に関する閲覧履歴を記憶部１２に蓄積する。閲覧履歴によって、同一の閲覧者が、どのスポット情報のウェブページを閲覧したのかが分かるようになっていることが好適である。その閲覧履歴には、例えば、閲覧されたウェブページの識別子と、そのウェブページの閲覧者の閲覧者識別子と、その閲覧が行われた日時とが含まれてもよい。なお、閲覧の対象は、スポット情報のウェブページであるため、ウェブページの識別子は、スポット情報の識別子であってもよい。また、予めユーザ登録等を行っているユーザがログインしてウェブページを閲覧している場合には、そのログインしているユーザの識別子が、閲覧者識別子であってもよい。その閲覧者識別子は、例えば、送信要求に含まれており、その送信要求から閲覧者識別子が取得されてもよい。また、閲覧履歴に、スポット情報のウェブページの閲覧者の属性も含まれていてもよい。その属性は、閲覧履歴に直接含まれていてもよい。また、閲覧者識別子と、閲覧者の属性とが別途、対応付けられており、閲覧履歴に閲覧者識別子が含まれていることによって、閲覧履歴から閲覧者の属性が取得できるようになっている場合にも、閲覧履歴に閲覧者の属性が含まれていると考えてもよい。結果として、閲覧履歴から閲覧者の属性を特定できるからである。また、閲覧者の属性は、例えば、ユーザ登録等によって登録されたものであってもよく、または、閲覧者の閲覧行動に応じて自動取得（推定）されたものであってもよい。後者の場合には、例えば、閲覧したスポット情報のウェブページに占める、カテゴリ「男性」のスポット情報のウェブページの割合が閾値以上の閲覧者については、属性「男性」を有していると推定されてもよい。属性「女性」についても同様にして推定することができる。また、閲覧者がユーザ登録やログイン等を行わないでウェブページを閲覧している場合には、閲覧者を識別するために用いられる情報（例えば、HTTP cookie等）を、閲覧者識別子として用いてもよい。
【００４７】
カテゴリ追加部２１は、履歴蓄積部２０によって記憶部１２に蓄積された閲覧履歴に基づいて、スポット情報に新たなカテゴリを追加する。カテゴリ追加部２１は、例えば、第１のスポット情報のウェブページと第２のスポット情報のウェブページとが同一の閲覧者によって一緒に閲覧されることが多い場合（例えば、そのような閲覧者が閾値（例えば、１０人や５０人等）以上の人数存在する場合）に、第２のスポット情報のカテゴリのうち、第１のスポット情報に含まれていないものを第１のスポット情報に追加してもよく、第１のスポット情報のカテゴリのうち、第２のスポット情報に含まれていないものを第２のスポット情報に追加してもよい。一緒に閲覧されるとは、２個のウェブページの閲覧日時が、予め決められた期間（例えば、５分や１０分、３０分など）以内であることであってもよく、２個のウェブページが１回の閲覧時に閲覧されたことであってもよい。連続して閲覧された複数のウェブページは、１回の閲覧時に閲覧されたと判断されてもよい。また、ある閲覧者があるウェブページを閲覧してから、次のウェブページを閲覧するまでに所定の期間（例えば、３０分や１時間など）以上が経過した場合には、その２個のウェブページの閲覧は連続していないと判断されてもよい。また、閲覧者の人数が用いられる場合には、延べの人数が用いられてもよい。
【００４８】
また、カテゴリ追加部２１は、例えば、同一の閲覧者によって、第１のスポット情報のウェブページと一緒に閲覧されることが多い第２のスポット情報のウェブページ、第３のスポット情報のウェブページ等を特定し、その第２のスポット情報、第３のスポット情報等に共通して含まれるカテゴリのうち、第１のスポット情報に含まれていないものを第１のスポット情報に追加してもよい。
【００４９】
また、カテゴリに、スポット情報のウェブページの閲覧者の属性も含まれている場合には、カテゴリ追加部２１は、閲覧履歴に基づいて、スポット情報のカテゴリに閲覧者の属性を追加してもよい。カテゴリ追加部２１は、例えば、閲覧履歴を用いて、あるスポット情報のウェブページを閲覧した閲覧者を特定し、その特定した閲覧者のうち、所定の割合を超える閲覧者が有する属性を、そのスポット情報に追加してもよい。より具体的には、あるスポット情報のウェブページの閲覧者の所定の割合（例えば、６割や７割など）以上が女性である場合に、カテゴリ追加部２１は、そのスポット情報のカテゴリに「女性」を追加してもよい。
【００５０】
スポット情報取得部２２は、他のスポット情報サーバ２において保持されているスポット情報を取得する。取得対象のスポット情報は、他のスポット情報サーバ２において保持されているスポット情報であり、また、共有してもよいと判断されたスポット情報であってもよい。スポット情報取得部２２は、例えば、そのスポット情報を、他のスポット情報サーバ２から直接、取得してもよく、または、他のスポット情報サーバ２で管理されているスポット情報を予め取得している統合サーバ４から取得してもよい。本実施の形態では、前者の場合について主に説明する。そのように、スポット情報取得部２２が、他のスポット情報サーバ２から直接、スポット情報を取得する場合であっても、取得対象のスポット情報を識別する情報（例えば、スポット情報のウェブページのアドレス等）は統合サーバ４から取得してもよい。その場合には、例えば、各スポット情報サーバ１，２の管理者は、他のスポット情報サーバに提供してもよいスポット情報のウェブページのアドレスを統合サーバ４に予め登録していてもよい。そして、スポット情報取得部２２は、統合サーバ４から、登録されているアドレスを取得し、そのアドレスに対応するスポット情報のウェブページにアクセスすることによって、そのスポット情報を取得してもよい。なお、スポット情報取得部２２は、プル方式で他のスポット情報サーバ２や統合サーバ４からスポット情報を取得してもよく、または、プッシュ方式で他のスポット情報サーバ２や統合サーバ４から送信された情報を取得してもよい。プッシュ方式でスポット情報が送信される場合には、スポット情報サーバ１，２は、図示しないスポット情報配信部を有しており、そのスポット情報配信部は、他のスポット情報サーバや統合サーバ４に、共有してもよいスポット情報を配信してもよい。その場合に、スポット情報配信部は、例えば、配信先のスポット情報サーバのアドレス等を、統合サーバ４から取得してもよい。本実施の形態では、プル方式でのスポット情報の取得が行われる場合について主に説明する。スポット情報取得部２２によって取得されたスポット情報は、前述のように、蓄積部１３によって記憶部１２に蓄積される。
【００５１】
例えば、各スポット情報サーバ１，２が地方自治体によって運用されている場合に、スポット情報取得部２２によるスポット情報の取得を行うことによって、ある地方自治体のスポット情報サーバ１が、近隣の他の地方自治体のスポット情報サーバ２からスポット情報を取得して、利用することができるようになる。そのようにすることで、例えば、観光の情報や、防災に関する情報等を、近隣の地方自治体の間で共有することができるようになる。第１の地方自治体と、第２の地方自治体とが隣接している場合には、第１の地方自治体のうち、第２の地方自治体との境界付近に住んでいる住人にとっては、第２の地方自治体の情報も有用であることもある。したがって、上記のように、地方自治体間において、スポット情報を共有することによって、ユーザの利便性を向上させることができるようになる。また、ここでは、地方自治体を例に説明したが、各スポット情報サーバ１，２が、企業や組合、学校等の団体や、その他の主体において用いられてもよい。また、近隣ではない団体等のスポット情報サーバ間において、スポット情報が共有されてもよい。
【００５２】
次に、スポット情報サーバ１の動作について図２Ａ，図２Ｂのフローチャートを用いて説明する。
（ステップＳ１０１）スポット情報受信部１１は、スポット情報を受信したかどうか判断する。そして、スポット情報を受信した場合には、ステップＳ１０２に進み、そうでない場合には、ステップＳ１０９に進む。
【００５３】
（ステップＳ１０２）蓄積部１３は、スポット情報受信部１１によって受信されたスポット情報を記憶部１２に蓄積する。
【００５４】
（ステップＳ１０３）説明文チェック部１４は、記憶部１２に蓄積されたスポット情報に含まれる説明文について、予め決められたルールに応じたものであるかどうかのチェックを行う。
【００５５】
（ステップＳ１０４）説明文チェック部１４は、説明文がルールに応じたものであったかどうか判断する。そして、ルールに応じたものであった場合には、ステップＳ１０６に進み、そうでない場合には、ステップＳ１０５に進む。
【００５６】
（ステップＳ１０５）チェック結果送信部１５は、説明文がルールに応じていなかった旨のチェックの結果を送信する。その送信先は、例えば、スポット情報を送信した端末装置６であってもよい。
【００５７】
（ステップＳ１０６）ウェブページ生成部１６は、ステップＳ１０２において蓄積されたスポット情報に対応するウェブページを生成し、記憶部１２に蓄積する。
【００５８】
（ステップＳ１０７）コード生成部１７は、ステップＳ１０６において生成されたウェブページのアドレスを示すコードを生成する。
【００５９】
（ステップＳ１０８）アドレス送信部１８は、ステップＳ１０６において生成されたウェブページのアドレスと、そのアドレスを示すコードとを送信する。その送信先は、例えば、スポット情報を送信した端末装置６であってもよい。なお、ステップＳ１１４からステップＳ１０６に進んだ場合には、その送信先は、例えば、スポット情報等の管理を行っている管理者の端末装置６であってもよい。そして、ステップＳ１０１に戻る。
【００６０】
（ステップＳ１０９）ウェブページ通信部１９は、ウェブページの送信要求を受信したかどうか判断する。そして、送信要求を受信した場合には、ステップＳ１１０に進み、そうでない場合には、図２ＢのステップＳ１１２に進む。
【００６１】
（ステップＳ１１０）ウェブページ通信部１９は、受信した送信要求で特定されるスポット情報のウェブページを記憶部１２から読み出し、そのウェブページを、送信要求の送信元の端末装置６に送信する。
【００６２】
（ステップＳ１１１）履歴蓄積部２０は、ステップＳ１０９における送信要求の受信と、ステップＳ１１０におけるウェブページの送信に応じて、閲覧履歴を記憶部１２に蓄積する。その閲覧履歴は、例えば、送信要求の受信時点またはウェブページの送信時点を示す日時と、送信対象のウェブページに対応するスポット情報の識別子と、送信要求の送信元のユーザを識別する閲覧者識別子とを含んでいてもよい。履歴蓄積部２０は、例えば、その日時を、図示しないカレンダー部や時計部から取得してもよい。そして、ステップＳ１０１に戻る。
【００６３】
（ステップＳ１１２）スポット情報取得部２２は、スポット情報を取得するかどうか判断する。そして、スポット情報を取得する場合には、ステップＳ１１３に進み、そうでない場合には、ステップＳ１１５に進む。スポット情報取得部２２は、例えば、予め決められたタイミング（例えば、毎日午前２時や、毎週金曜日の午後１０時等）に、スポット情報を取得すると判断してもよい。
【００６４】
（ステップＳ１１３）スポット情報取得部２２は、他のスポット情報サーバ２からスポット情報を取得する。スポット情報取得部２２は、例えば、統合サーバ４から、他のスポット情報サーバ２におけるスポット情報のウェブページのアドレスを取得し、そのアドレスにアクセスすることによって、他のスポット情報サーバ２からスポット情報を取得してもよい。なお、スポット情報取得部２２は、他のスポット情報サーバ２からスポット情報を取得する際に、すでに自サーバの記憶部１２において記憶されているスポット情報については、重複した取得を行わないようにしてもよい。その際に、例えば、スポット情報に含まれる最終更新日時等を用いて、他のスポット情報サーバ２のスポット情報と、自サーバの記憶部１２で記憶されているスポット情報とが同じ内容かどうかを判断してもよい。
【００６５】
（ステップＳ１１４）蓄積部１３は、ステップＳ１１３で取得されたスポット情報を記憶部１２に蓄積する。なお、すでに記憶部１２で記憶されているスポット情報が取得された場合には、蓄積部１３は、そのスポット情報を記憶部１２に蓄積しなくてもよい。そして、図２ＡのステップＳ１０６に進む。
【００６６】
（ステップＳ１１５）カテゴリ追加部２１は、カテゴリを追加するタイミングかどうか判断する。そして、カテゴリを追加するタイミングである場合には、ステップＳ１１６に進み、そうでない場合には、図２ＡのステップＳ１０１に戻る。
【００６７】
（ステップＳ１１６）カテゴリ追加部２１は、閲覧履歴に基づいて、一緒に閲覧されたスポット情報に応じたカテゴリの追加を行う。
【００６８】
（ステップＳ１１７）カテゴリ追加部２１は、閲覧履歴に基づいて、閲覧者の属性に応じたカテゴリの追加を行う。そして、図２ＡのステップＳ１０１に戻る。
【００６９】
なお、図２Ａ，図２Ｂのフローチャートにおける処理の順序は一例であり、同様の結果を得られるのであれば、各ステップの順序を変更してもよい。また、図２Ａのフローチャートにおいて、スポット情報サーバ１は、チェック結果の送信（ステップＳ１０５）に応じて、修正後の説明文、または修正しない旨を受信してもよい。そして、修正後の説明文が受信された場合には、ステップＳ１０２において蓄積したスポット情報の説明文を新たな内容に差し替えて、ステップＳ１０６に進んでもよい。また、修正しない旨が受信された場合には、スポット情報を変更することなく、ステップＳ１０６に進んでもよい。なお、修正後の説明文や、修正しない旨は、例えば、スポット情報受信部１１によって受信されてもよい。また、スポット情報の受信に応じた処理（ステップＳ１０１〜Ｓ１０８）、送信要求の受信に応じた処理（ステップＳ１０９〜Ｓ１１１）、スポット情報の取得に関する処理（ステップＳ１１２〜Ｓ１１４）、カテゴリの追加に関する処理（ステップＳ１１５〜Ｓ１１７）は、それぞれ並列的に処理されてもよい。また、図２Ａ，図２Ｂのフローチャートにおいて、電源オフや処理終了の割り込みにより処理は終了する。
【００７０】
次に、本実施の形態によるスポット情報サーバ１の動作について、具体例を用いて説明する。この具体例では、スポット情報サーバ１が、ＡＢＣ市によって運用されており、スポット情報サーバ２が、ＡＢＣ市に隣接するＸＹＺ市によって運用されているものとする。
【００７１】
まず、ＡＢＣ市の職員が、端末装置６を操作して、図３で示されるように、スポット情報の登録画面において、タイトルや位置情報等を入力し、送信ボタンを押したとする。すると、それに応じて、タイトル「ＡＢＣ城」、位置情報「ＡＢＣ市南区南通り１０−２０−３０」、画像「ｉｍｇ１１１１．ｊｐｇ」、説明文「ＡＢＣ城は安土桃山時代に…」、カテゴリ「歴史」を含むスポット情報が送信される。そのスポット情報は、スポット情報サーバ１のスポット情報受信部１１で受信され、蓄積部１３に渡される（ステップＳ１０１）。蓄積部１３は、その時点の日時である２０１８年８月３０日１３時１５分を取得し、その日時である最終更新日時を受け取ったスポット情報に含めて記憶部１２に蓄積する（ステップＳ１０２）。その結果、図４で示される、ＩＤ１２３６のスポット情報が記憶部１２に蓄積されることになる。図４は、記憶部１２で記憶されているスポット情報の一例を示す図である。図４で示されるスポット情報には、ＩＤと、タイトルと、位置情報と、画像と、説明文と、カテゴリと、最終更新日時とが含まれている。ＩＤは、新たなスポット情報が蓄積されるごとに新たに付与されるスポット情報の識別子である。
【００７２】
説明文チェック部１４は、記憶部１２に新たに蓄積されたスポット情報に含まれる説明文について、予め決められたルールに応じているかどうかをチェックする（ステップＳ１０３）。具体的には、図示しない記録媒体において、図５で示されるように、ＮＧワードが記憶されているものとする。そして、説明文チェック部１４は、そのＮＧワードを読み出し、いずれかのＮＧワードが説明文に含まれている場合に、その説明文がルールに応じていないと判断し、いずれのＮＧワードも説明文に含まれていない場合に、その説明文がルールに応じていると判断する。この場合には、説明文「ＡＢＣ城は安土桃山時代に…」にＮＧワードは含まれていなかったとする。すると、説明文チェック部１４は、説明文はルールに応じていると判断し、チェックの結果の送信は行われないことになる（ステップＳ１０４）。
【００７３】
その後、ウェブページ生成部１６は、記憶部１２に新たに蓄積されたスポット情報を読み出し、記憶部１２において予め記憶されている、スポット情報のウェブページのテンプレートに、読み出したスポット情報に含まれる各情報を追加することによって、スポット情報のウェブページを作成し、そのウェブページを記憶部１２の所定のディレクトリに保存する（ステップＳ１０６）。そのウェブページは、例えば、図６で示されるものであってもよい。図６において、タイトルや説明文、位置情報等については、スポット情報に含まれる各情報を、テンプレートに追加することになるが、画像については、記憶部１２における予め決められたディレクトリに画像を保存し、その保存場所を指定する情報（図６においては、「../img/img1111.jpg」である）をテンプレートに追加することになる。また、ウェブページ生成部１６は、そのウェブページの保存場所に応じた、ウェブページのアドレス「http://abc...lg.jp/spot/1236.html」をコード生成部１７に渡す。
【００７４】
コード生成部１７は、ウェブページのアドレスを受け取ると、それに応じたＱＲコードを生成し、そのＱＲコードの画像と、ウェブページのアドレスとをアドレス送信部１８に渡す（ステップＳ１０７）。アドレス送信部１８は、ＱＲコード等を受け取ると、それらをスポット情報の送信元である端末装置６に送信する（ステップＳ１０８）。その結果、ＡＢＣ城に関するスポット情報の登録を行ったＡＢＣ市の職員は、端末装置６において、ＡＢＣ城のスポット情報に関するウェブページのアドレスと、ＱＲコードとを受け取ることができる。そして、そのＱＲコード等をパンフレット等に用いることができるようになる。
【００７５】
図７は、そのＱＲコードが用いられたパンフレットの一例を示す図である。図７において、地図上のＡＢＣ城、ＡＢＣの乱、ＡＢＣ橋の近傍にＱＲコードが表示されている。そして、予めユーザ登録を行っているユーザ（そのユーザのユーザ識別子は「Ｕ１０２」であったとする）が、ＡＢＣ城の近傍のＱＲコードをスマートフォンで撮影し、そのＱＲコードによって示されるアドレス「http://abc...lg.jp/spot/1236.html」にブラウザからアクセスすると、そのアドレスに応じたスポット情報のウェブページの送信要求が、スポット情報サーバ１に送信される。
【００７６】
その送信要求は、スポット情報サーバ１のウェブページ通信部１９によって受信される（ステップＳ１０９）。そして、ウェブページ通信部１９は、その送信要求に応じて、記憶部１２で記憶されているＡＢＣ城のウェブページを読み出して、送信要求の送信元に送信する（ステップＳ１１０）。その結果、図８で示されるように、ユーザは、スマートフォンでＡＢＣ城に関するスポット情報を閲覧することができる。
【００７７】
その後、履歴蓄積部２０は、そのＡＢＣ城のウェブページの閲覧に関する閲覧履歴を蓄積する（ステップＳ１１１）。具体的には、履歴蓄積部２０は、その時点の日時「２０１８／８／３１  １３：３５」を図示しないカレンダー部や時計部から取得し、ウェブページに対応するスポット情報のＩＤ「１２３６」と、閲覧者識別子「Ｕ１０２」とを取得して、図９で示されるように、閲覧履歴を蓄積する。
【００７８】
次に、カテゴリの追加に関する処理について説明する。この具体例では、図１０で示されるように、閲覧者識別子と、その閲覧者識別子で識別される閲覧者の属性とを対応付ける情報が記憶部１２において記憶されているものとする。図１０において、属性は性別であり、例えば、閲覧者識別子「Ｕ１０１」で識別される閲覧者（以下、この閲覧者を「閲覧者Ｕ１０１」と呼ぶことがある。）は女性であることが示されている。
【００７９】
カテゴリを追加するタイミングになると、カテゴリ追加部２１は、記憶部１２で記憶されている閲覧履歴を参照し、閲覧者識別子ごとに、連続して閲覧されたスポット情報のＩＤをグルーピングする。この具体例では、ある閲覧者について、あるウェブページの閲覧時から、次のウェブページの閲覧時までに３０分以上経過した場合には、連続した閲覧ではないと判断されるものとする。すると、例えば、閲覧者Ｕ１０１について、スポット情報のＩＤ「１１２２」「１１００」等がグルーピングされることになる。そのグルーピングによって、閲覧者ごとに、スポット情報のＩＤのグループが構成されることになる。その１個のグループに含まれるスポット情報のＩＤが、ある閲覧者によって一緒に閲覧されたスポット情報のＩＤとなる。
【００８０】
次に、カテゴリ追加部２１は、すべてのグループに含まれるスポット情報のＩＤをマージして、ユニーク処理をすることによって、複数のグループに含まれるスポット情報のＩＤの一覧を取得する。そして、その一覧における１番目のスポット情報のＩＤ（以下、「１番目のＩＤ」と呼ぶこともある。また、その１番目のＩＤで識別されるスポット情報を１番目のスポット情報と呼ぶこともある。）が含まれるグループを特定する。また、カテゴリ追加部２１は、その特定したグループに含まれる、１番目のＩＤ以外のＩＤの個数をそれぞれカウントする。例えば、その結果が、次のとおりであったとする
ＩＤ「０１２３」：５２個
ＩＤ「０２３４」：３２個
ＩＤ「０４５６」：４２個
……
【００８１】
上記の結果から、一覧の１番目のスポット情報と一緒に、ＩＤ「０１２３」のスポット情報を閲覧した閲覧者の延べ人数が５２人であることが示される。また、その延べ人数が５０人以上であるＩＤのスポット情報が、１番目のスポット情報と一緒に閲覧されることが多いスポット情報であると決まっていたとする。すると、カテゴリ追加部２１は、延べ人数が５０人以上であるＩＤ「０１２３」のスポット情報からカテゴリを読み出し、その読み出したカテゴリのうち、１番目のスポット情報に含まれていないカテゴリを、１番目のスポット情報に追加する。具体的には、１番目のスポット情報のカテゴリが歴史であり、ＩＤ「０１２３」のスポット情報のカテゴリが「グルメ」である場合には、１番目のスポット情報に新たなカテゴリ「グルメ」が追加されることになる。カテゴリ追加部２１は、一覧の２番目以降のＩＤについても同様の処理を行う（ステップＳ１１６）。なお、その処理において、各スポット情報のカテゴリとしては、カテゴリの追加前のカテゴリが用いられるものとする。
【００８２】
次に、カテゴリ追加部２１は、閲覧履歴を用いて、スポット情報のＩＤごとに、閲覧者識別子をグルーピングし、そのグルーピングした閲覧者の識別子についてユニーク処理を行う。この処理によって、あるスポット情報を、誰が閲覧したのかが特定されることになる。次に、カテゴリ追加部２１は、スポット情報のＩＤごとに、閲覧者の総数をカウントすると共に、図１０で示される閲覧者識別子と属性とを対応付ける情報を用いて、閲覧者の「男性」の割合を算出する。そして、カテゴリ追加部２１は、閲覧者の総数が「５０」以上であり、男性の割合が７０％以上であるスポット情報のＩＤで識別されるスポット情報のカテゴリに、「男性」を追加する。また、カテゴリ追加部２１は、閲覧者の総数が「５０」以上であり、男性の割合が３０％以下であるスポット情報のＩＤで識別されるスポット情報のカテゴリに、「女性」を追加する。このようにして、カテゴリへの属性の追加が行われる（ステップＳ１１７）。
【００８３】
図１１は、そのようにしてカテゴリが追加されたスポット情報の一例を示す図である。図１１で示されるように、タイトル「ＡＢＣ蕎麦」のスポット情報にカテゴリ「グルメ」が追加されており、タイトル「ＡＢＣ城」のスポット情報にカテゴリ「女性」が追加されている。
【００８４】
次に、ＸＹＺ市が運用しているスポット情報サーバ２からスポット情報を取得する処理について説明する。スポット情報を取得するタイミングになると、スポット情報取得部２２は、統合サーバ４にアクセスし、他のスポット情報サーバ２で管理されているスポット情報のうち、共有設定のされているスポット情報のアドレスを取得する（ステップＳ１１２）。そのアドレスは、「http://xyz...lg.jp/spot/9988.html」であったとする。すると、スポット情報取得部２２は、そのアドレスにアクセスすることによって、他のスポット情報サーバ２から、共有設定のされているスポット情報を取得する（ステップＳ１１３）。そして、その取得したスポット情報を蓄積部１３に渡す。取得されたスポット情報を受け取ると、蓄積部１３は、そのスポット情報を記憶部１２に蓄積する（ステップＳ１１４）。なお、スポット情報取得部２２によって取得されたスポット情報を蓄積する際には、蓄積部１３は、スポット情報に含まれている最終更新日時をそのまま蓄積することになる。その結果、記憶部１２で記憶されているスポット情報は、図１２で示されるようになる。また、その蓄積されたスポット情報のウェブページが生成され、そのウェブページのアドレスを示すコードが生成され、そのアドレスやコードが、管理者の端末装置６に送信される（ステップＳ１０６〜Ｓ１０８）。このようにして、他のスポット情報サーバ２から、スポット情報を取得することができ、また、その取得したスポット情報を活用することができる。
【００８５】
次に、説明文のチェックにおいて、説明文がルールに応じていなかった場合について簡単に説明する。図４で示されるタイトル「ＡＢＣの乱」のスポット情報が受信された場合には、説明文チェック部１４は、その説明文に図５で示されるＮＧワード「死」が含まれているため、その説明文がルールに応じていないと判断し、そのスポット情報のタイトル「ＡＢＣの乱」と、説明文と、説明文におけるＮＧワードの箇所を示す情報とをチェック結果送信部１５に渡す（ステップＳ１０３，Ｓ１０４）。それらの情報を受け取ると、チェック結果送信部１５は、スポット情報のタイトルと、ＮＧワードの箇所をハイライトした説明文とを含むチェックの結果を構成する。そして、チェック結果送信部１５は、図示しない経路でスポット情報受信部１１からスポット情報の送信元のアドレスを取得して、チェックの結果をそのアドレスに送信する（ステップＳ１０５）。
【００８６】
その結果、図１３で示されるように、チェックの結果が、ＡＢＣ市の職員の端末装置６に表示されることになる。その結果、その職員は、説明文にＮＧワードが含まれていたことを知ることができる。そのチェックの結果に応じて説明文を修正する場合には、ＡＢＣ市の職員は、再度、ＡＢＣの乱に関するスポット情報をスポット情報サーバ１に送信することになる。その場合には、タイトルが同じであるため、蓄積部１３によって上書きでスポット情報が蓄積され、スポット情報の説明文の内容が変更されることになる。一方、ＡＢＣ市の職員が、説明文にＮＧワードが含まれていても問題ないと考えた場合には、そのまま放置すればよいことになる。
【００８７】
以上のように、本実施の形態によるスポット情報サーバ１によれば、受信したスポット情報が登録されることになる。したがって、ユーザは、スポット情報をスポット情報サーバ１に簡単に登録することができるようになる。また、そのスポット情報の登録に応じて、登録されたスポット情報のウェブページが自動的に生成され、そのアドレスや、そのアドレスを示すコードがユーザに送信されるため、そのスポット情報を容易に活用することもできるようになる。また、スポット情報の登録時に説明文がチェックされることによって、説明文にＮＧワードが含まれていたり、説明文の文体が異なっていたりするような場合に、そのことを説明文の作成者等が知ることができるようになる。そして、それに応じて説明文を修正することが可能になる。その結果、スポット情報サーバ１において管理されているスポット情報の質を高めたり、文体の揺らぎが少なくなるようにしたりすることができるようになる。また、他のスポット情報サーバ２において管理されているスポット情報を取得することもできることにより、１個のスポット情報サーバ１から、より多くのスポット情報を閲覧者に提供できるようになり、閲覧者の利便性が向上することになる。また、スポット情報にカテゴリが自動的に追加されることによって、カテゴリを手動で追加する作業が不要になり、スポット情報の管理の負荷が低減されることになる。
【００８８】
なお、ウェブページ通信部１９は、例えば、所定のカテゴリを有するスポット情報のウェブページに関する一覧のリンクページの送信要求を受信してもよい。その送信要求を受信すると、ウェブページ通信部１９は、その送信要求の内容をウェブページ生成部１６に、図示しない経路を介して渡してもよい。そして、それに応じてウェブページ生成部１６が、要求されたカテゴリを有するスポット情報を特定し、その特定したスポット情報のウェブページに関する一覧のリンクページであるウェブページを作成し、記憶部１２を介してウェブページ通信部１９に渡してもよい。そのリンクページを受け取ると、ウェブページ生成部１６は、受け取ったリンクページを、送信要求の送信元の端末装置６に送信してもよい。その結果、例えば、図１４で示されるように、端末装置６において、カテゴリ「歴史」を有するスポット情報へのリンクページが表示されることになる。そして、ユーザは、歴史に関するスポット情報に容易にアクセスできるようになる。
【００８９】
また、ウェブページ通信部１９は、スポット情報のウェブページに関する一覧のリンクページの送信要求と、その送信要求の送信元の端末装置６の位置を示す端末位置情報とを受信した場合に、端末位置情報から所定の距離の範囲内の位置情報を有するスポット情報のウェブページに関する一覧のリンクページを、その送信要求の送信元の端末装置６に送信してもよい。具体的には、スポット情報のウェブページに関する一覧のリンクページを表示するためのウェブページが予め用意されていてもよい。そして、端末装置６が、そのウェブページにアクセスすることが、スポット情報のウェブページに関する一覧のリンクページの送信要求であってもよい。また、スポット情報のウェブページに関する一覧のリンクページを表示するためのウェブページでは、アクセス元の端末装置６の端末位置情報を取得するＪａｖａＳｃｒｉｐｔ（登録商標）等のプログラムが設定されており、そのプログラムが端末装置６で実行されることによって、端末装置６の端末位置情報が、端末装置６からスポット情報サーバ１に送信され、ウェブページ通信部１９によって受信されてもよい。送信要求や端末位置情報を受信すると、ウェブページ通信部１９は、端末位置情報と、スポット情報のウェブページに関する一覧のリンクページを生成する旨の指示とをウェブページ生成部１６に図示しない経路を介して渡してもよい。そして、それに応じてウェブページ生成部１６が、端末位置情報から所定の距離の範囲内の位置情報を有するスポット情報を特定し、その特定したスポット情報のウェブページに関する一覧のリンクページであるウェブページを作成し、記憶部１２を介してウェブページ通信部１９に渡してもよい。そのリンクページを受け取ると、ウェブページ生成部１６は、受け取ったリンクページを、送信要求の送信元の端末装置６に送信してもよい。その結果、例えば、図１５で示されるように、端末装置６において、リンクページが表示されることになる。そして、ユーザは、現在位置からの距離が近いスポット情報に容易にアクセスできるようになる。
【００９０】
なお、端末位置情報から所定の距離の範囲内の位置情報とは、端末位置情報の示す位置から所定の距離以内の位置を示す位置情報のことである。また、その距離は、例えば、地理的な距離であってもよく、時間的な距離であってもよい。地理的な距離は、地図上で算出できる距離であり、例えば、直線距離であってもよく、道路等の移動経路の距離であってもよい。移動経路の距離は、経路探索等の技術を用いて取得することができる。また、時間的な距離は、２つの位置間の移動に要する時間であってもよい。その時間は、例えば、経路探索等によって探索された、端末位置情報の位置から位置情報の示す位置までの経路の距離を、移動速度で割ることによって算出することができる。移動速度は、例えば、徒歩の移動速度に設定されていてもよく、または、ユーザが自由に選択できてもよい。
【００９１】
また、スポット情報取得部２２は、他のスポット情報サーバ２からスポット情報を取得する場合に、他のスポット情報サーバ２における取得対象のスポット情報の更新頻度に応じた頻度でスポット情報を取得してもよい。すなわち、高い頻度で更新されているスポット情報については、取得の頻度が高くされてもよい。例えば、防災等のスポット情報が他のスポット情報サーバ２から取得されるとすると、地震が起こったり、台風が来たりした場合には、そのスポット情報が頻繁に更新されることもありうる。そのような場合には、スポット情報取得部２２が高い頻度で、そのスポット情報を取得するようにしてもよい。このようにすることで、他のスポット情報サーバ２におけるスポット情報の更新頻度が高い場合には、それに応じた頻度でスポット情報を取得することによって、最新のスポット情報を適切に取得することができると共に、他のスポット情報サーバ２におけるスポット情報の更新頻度が低い場合には、それに応じた頻度でスポット情報を取得することによって、スポット情報の取得の負荷を低減することができる。
【００９２】
具体的には、スポット情報取得部２２は、他のスポット情報サーバ２からスポット情報を取得する場合に、最終更新日時も一緒に取得してもよい。そして、取得対象のスポット情報の内容が変更されても、取得した最終更新日時は記憶部１２で保存されるように設定されていてもよい。すなわち、蓄積部１３は、スポット情報取得部２２から受け取ったスポット情報を記憶部１２に蓄積する際に、最終更新日時については、上書きをしないで追加で保存するようにしてもよい。そして、スポット情報取得部２２は、あるスポット情報の取得間隔が、そのスポット情報の最新の最終更新日時と、それよりも１個前の最終更新日時との間隔よりも短くなるように、スポット情報の取得間隔を動的に変更してもよい。なお、スポット情報がまったく更新されないような場合であっても、スポット情報取得部２２は、予め設定されているデフォルトのタイミングでは、他のスポット情報サーバ２からスポット情報を取得することが好適である。
【００９３】
また、自サーバで登録されたスポット情報と、他のスポット情報サーバ２から取得したスポット情報とは、区別可能なようにウェブページが生成されてもよい。その区別は、視覚的な区別であってもよい。例えば、他のスポット情報サーバ２から取得されたスポット情報のウェブページには、そのスポット情報の取得先の地方自治体などの主体を示す情報（例えば、「ＸＹＺ市提供」など）が追加され、自サーバで登録されたスポット情報のウェブページには、そのような情報が追加されなくてもよい。
【００９４】
また、本実施の形態では、アドレス送信部１８によって送信されたアドレスやコード等が、パンフレット等に表示されることによって用いられる場合について説明したが、その他の方法によって用いられてもよいことは言うまでもない。例えば、そのスポット情報のウェブページのアドレスを、他のウェブページにおいて用いることによって、他のウェブページにスポット情報が掲載されるようにしてもよい。具体的には、ウェブページにおいて、
＜iframe src="http://abc...lg.jp/spot/1236.html"＞
＜/iframe＞
と記述することによって、「http://abc...lg.jp/spot/1236.html」の情報を挿入することができる。したがって、そのようにしてスポット情報を他のウェブページに挿入して用いてもよい。同様のことは、ＪａｖａＳｃｒｉｐｔ等のプログラムを用いてスポット情報のウェブページを所望のウェブページ内に読み込むことによっても行うことができる。また、ユーザが独自のアプリケーション等を作成する際に、そのアプリケーションにおいて、スポット情報のウェブページにアクセスすることによって、アプリケーションにスポット情報を取り込むようにしてもよい。
【００９５】
また、本実施の形態では、スポット情報サーバ１が、スポット情報の提供を、ウェブページによって行う場合についてのみ説明したが、ウェブページ以外の形式によって、登録されたスポット情報がネットワーク５００を介して端末装置６に提供されるようにしてもよい。その場合には、例えば、図示しないスポット情報提供部が、スポット情報の送信要求を受信し、その送信要求の受信に応じて、送信の要求されたスポット情報を記憶部１２から読み出して、送信要求の送信元の端末装置６に送信してもよい。また、そのような機能は、例えば、ＡＰＩ（Application Programming Interface）として提供されてもよい。
【００９６】
また、本実施の形態では、他のスポット情報サーバと共有してもよいスポット情報のウェブページのアドレスを統合サーバ４に登録する場合について説明したが、そうでなくてもよい。例えば、共有してもよいかどうかを示すフラグ等の情報がスポット情報に含まれていてもよい。そして、統合サーバ４は、共有してもよいことが示されるスポット情報のアドレスを各スポット情報サーバから収集してもよい。また、スポット情報取得部２２が、共有してもよいことが示されるスポット情報を直接、他のスポット情報サーバ２から取得するようにしてもよい。その場合には、情報通信システムに統合サーバ４が含まれていなくてもよい。
【００９７】
また、上記実施の形態では、他のスポット情報サーバ２からスポット情報を取得する場合について説明したが、そうでなくてもよい。他のスポット情報サーバ２からのスポット情報の取得を行わない場合には、スポット情報サーバ１は、スポット情報取得部２２を備えていなくてもよい。また、この場合には、情報通信システムに、１個のスポット情報サーバ１のみが含まれていてもよい。
【００９８】
また、上記実施の形態では、受信されたスポット情報に含まれる説明文についてチェックを行う場合について説明したが、そうでなくてもよい。その説明文に関するチェックを行わない場合には、スポット情報サーバ１は、説明文チェック部１４、及びチェック結果送信部１５を備えていなくてもよい。
【００９９】
また、上記実施の形態では、スポット情報にカテゴリを自動的に追加する場合について説明したが、そうでなくてもよい。カテゴリの自動追加を行わない場合には、スポット情報サーバ１は、履歴蓄積部２０、及びカテゴリ追加部２１を備えていなくてもよい。
【０１００】
また、上記実施の形態では、アドレス送信部１８がコードを送信する場合について主に説明したが、そうでなくてもよい。アドレス送信部１８がコードを送信しないで、アドレスそのものを送信する場合には、スポット情報サーバ１は、コード生成部１７を備えていなくてもよい。
【０１０１】
また、上記実施の形態において、各処理または各機能は、単一の装置または単一のシステムによって集中処理されることによって実現されてもよく、または、複数の装置または複数のシステムによって分散処理されることによって実現されてもよい。
【０１０２】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、または、その情報の受け渡しを行う２個の構成要素が物理的に同じものである場合には、一方の構成要素に対応する処理のフェーズから、他方の構成要素に対応する処理のフェーズに移ることによって行われてもよい。
【０１０３】
また、上記実施の形態において、各構成要素が実行する処理に関係する情報、例えば、各構成要素が受け付けたり、取得したり、選択したり、生成したり、送信したり、受信したりした情報や、各構成要素が処理で用いる閾値や数式、アドレス等の情報等は、上記説明で明記していなくても、図示しない記録媒体において、一時的に、または長期にわたって保持されていてもよい。また、その図示しない記録媒体への情報の蓄積を、各構成要素、または、図示しない蓄積部が行ってもよい。また、その図示しない記録媒体からの情報の読み出しを、各構成要素、または、図示しない読み出し部が行ってもよい。
【０１０４】
また、上記実施の形態において、各構成要素等で用いられる情報、例えば、各構成要素が処理で用いる閾値やアドレス、各種の設定値等の情報がユーザによって変更されてもよい場合には、上記説明で明記していなくても、ユーザが適宜、それらの情報を変更できるようにしてもよく、または、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１０５】
また、上記実施の形態において、スポット情報サーバ１に含まれる２以上の構成要素が通信デバイスや入力デバイス等を有する場合に、２以上の構成要素が物理的に単一のデバイスを有してもよく、または、別々のデバイスを有してもよい。
【０１０６】
また、上記実施の形態において、各構成要素は専用のハードウェアにより構成されてもよく、または、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現されうる。その実行時に、プログラム実行部は、記憶部や記録媒体にアクセスしながらプログラムを実行してもよい。なお、上記実施の形態におけるスポット情報サーバ１を実現するソフトウェアは、以下のようなプログラムである。つまり、このプログラムは、スポットの位置を示す位置情報と、スポットに関連する画像と、スポットに関する説明文とを有するスポット情報が記憶される記憶部にアクセス可能なコンピュータを、スポット情報を受信するスポット情報受信部、スポット情報受信部によって受信されたスポット情報を記憶部に蓄積する蓄積部、記憶部で記憶されているスポット情報に含まれる各情報を掲載するウェブページを生成するウェブページ生成部、ウェブページ生成部によって生成されたスポット情報のウェブページのアドレスに関する送信を行うアドレス送信部、あるアドレスのスポット情報のウェブページの送信を要求する送信要求を受信した場合に、アドレスに対応するスポット情報のウェブページを送信するウェブページ通信部として機能させるためのプログラムである。
【０１０７】
なお、上記プログラムにおいて、上記プログラムが実現する機能には、ハードウェアでしか実現できない機能は含まれない。例えば、情報を受信する受信部や、情報を送信する送信部などにおけるモデムやインターフェースカードなどのハードウェアでしか実現できない機能は、上記プログラムが実現する機能には少なくとも含まれない。
【０１０８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１０９】
また、このプログラムを実行するコンピュータは、単数であってもよく、複数であってもよい。すなわち、集中処理を行ってもよく、または分散処理を行ってもよい。
【０１１０】
図１６は、上記プログラムを実行して、上記実施の形態によるスポット情報サーバ１を実現するコンピュータの外観の一例を示す模式図である。上記実施の形態は、コンピュータハードウェア及びその上で実行されるコンピュータプログラムによって実現されうる。
【０１１１】
図１６において、コンピュータシステム９００は、ＣＤ−ＲＯＭドライブ９０５を含むコンピュータ９０１と、キーボード９０２と、マウス９０３と、モニタ９０４とを備える。
【０１１２】
図１７は、コンピュータシステム９００の内部構成を示す図である。図１７において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮやＷＡＮ等への接続を提供する図示しないネットワークカードを含んでいてもよい。
【０１１３】
コンピュータシステム９００に、上記実施の形態によるスポット情報サーバ１の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。また、ＣＤ−ＲＯＭ９２１に代えて他の記録媒体（例えば、ＤＶＤ等）を介して、プログラムがコンピュータシステム９００に読み込まれてもよい。
【０１１４】
プログラムは、コンピュータ９０１に、上記実施の形態によるスポット情報サーバ１の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１１５】
また、本発明は、以上の実施の形態に限定されることなく、種々の変更が可能であり、それらも本発明の範囲内に包含されるものであることは言うまでもない。
【産業上の利用可能性】
【０１１６】
以上より、本発明によるスポット情報サーバ等によれば、スポット情報を容易に利用できるという効果が得られ、スポット情報を管理するサーバ等として有用である。
【符号の説明】
【０１１７】
１、２  スポット情報サーバ
６  端末装置
１１  スポット情報受信部
１２  記憶部
１３  蓄積部
１４  説明文チェック部
１５  チェック結果送信部
１６  ウェブページ生成部
１７  コード生成部
１８  アドレス送信部
１９  ウェブページ通信部
２０  履歴蓄積部
２１  カテゴリ追加部
２２  スポット情報取得部
【図１】
2020060985.tif 000003
【図２Ａ】
2020060985.tif 000004
【図２Ｂ】
2020060985.tif 000005
【図３】
2020060985.tif 000006
【図４】
2020060985.tif 000007
【図５】
2020060985.tif 000008
【図６】
2020060985.tif 000009
【図７】
2020060985.tif 000010
【図８】
2020060985.tif 000011
【図９】
2020060985.tif 000012
【図１０】
2020060985.tif 000013
【図１１】
2020060985.tif 000014
【図１２】
2020060985.tif 000015
【図１３】
2020060985.tif 000016
【図１４】
2020060985.tif 000017
【図１５】
2020060985.tif 000018
【図１６】
2020060985.tif 000019
【図１７】
2020060985.tif 000020